(57)【要約】【課題】収納部の収納異常を確認できるようにする。【解決手段】収納部６１は、貨幣の収納と繰出を行う。搬送部４０は、収納部６１から繰り出された貨幣を搬送する。識別部５０は、搬送部４０によって搬送される貨幣の金種を識別する。制御部１００は、識別部５０によって識別された貨幣の金種が収納部６１に収納されるべき貨幣の金種として収納部６１に割り当てられた設定金種と一致しない異金種貨幣に関する情報に基づいて収納部６１の収納異常に関する情報を出力する。【選択図】図２
2019036004.tif 000002
【特許請求の範囲】
【請求項１】
貨幣の収納と繰出を行う収納部と、
前記収納部から繰り出された貨幣を搬送する搬送部と、
前記搬送部によって搬送される貨幣の金種を識別する識別部と、
前記識別部によって識別された貨幣の金種が前記収納部に収納されるべき貨幣の金種として前記収納部に割り当てられた設定金種と一致しない異金種貨幣に関する情報に基づいて前記収納部の収納異常に関する情報を出力する制御部とを備えている
ことを特徴とする貨幣処理装置。
【請求項２】
請求項１において、
前記異金種貨幣に関する情報は、前記異金種貨幣の枚数に関する情報を含んでいる
ことを特徴とする貨幣処理装置。
【請求項３】
請求項２において、
前記制御部は、前記異金種貨幣の枚数が予め定められた閾値を上回る場合に、前記収納部の収納異常に関する情報を出力する
ことを特徴とする貨幣処理装置。
【請求項４】
請求項３において、
前記閾値は、前記異金種貨幣の搬送先の収納容量に応じた値に設定されている
ことを特徴とする貨幣処理装置。
【請求項５】
請求項３において、
前記閾値は、前記収納部から繰り出された貨幣の総枚数に応じた値に設定されている
ことを特徴とする貨幣処理装置。
【請求項６】
請求項１〜５のいずれか１項において、
前記収納部の収納異常に関する情報は、前記設定金種に関する情報を含んでいる
ことを特徴とする貨幣処理装置。
【請求項７】
請求項１〜６のいずれか１項において、
前記収納部の収納異常に関する情報は、前記異金種貨幣の金種に関する情報を含んでいる
ことを特徴とする貨幣処理装置。
【請求項８】
請求項１〜７のいずれか１項において、
前記異金種貨幣を収納する異金種収納部を備え、
前記制御部は、前記収納部から繰り出された貨幣が前記識別部において識別されて該識別部における識別結果に応じて該収納部に戻る精査処理において、前記異金種貨幣が前記異金種収納部に搬送されるように前記搬送部を制御する
ことを特徴とする貨幣処理装置。
【請求項９】
請求項１〜７のいずれか１項において、
前記異金種貨幣を収納する異金種収納部と、
出金すべき貨幣を払い出す出金部とを備え、
前記制御部は、前記収納部から繰り出された貨幣が前記識別部において識別されて該識別部における識別結果に応じて前記出金部に搬送される出金処理において、前記異金種貨幣が前記異金種収納部に搬送されるように前記搬送部を制御する
ことを特徴とする貨幣処理装置。
【請求項１０】
請求項１〜７のいずれか１項において、
前記異金種貨幣を収納する異金種収納部と、
回収すべき貨幣を収納する回収収納部とを備え、
前記制御部は、前記収納部から繰り出された貨幣が前記識別部において識別されて該識別部における識別結果に応じて前記回収収納部に搬送される回収処理において、前記異金種貨幣が前記異金種収納部に搬送されるように前記搬送部を制御する
ことを特徴とする貨幣処理装置。
【請求項１１】
請求項１〜７のいずれか１項において、
前記異金種貨幣を格納する異金種収納部と、
前記貨幣が装填される装填収納部とを備え、
前記制御部は、前記収納部から繰り出された貨幣が前記識別部において識別されて該識別部における識別結果に応じて前記装填収納部に搬送される装填処理において、前記異金種貨幣が前記異金種収納部に搬送されるように前記搬送部を制御する
ことを特徴とする貨幣処理装置。
【請求項１２】
請求項８〜１１のいずれか１項において、
前記制御部は、前記収納部の収納異常に関する情報を出力する場合に、前記異金種収納部から繰り出された異金種貨幣が該収納部に戻るように前記搬送部を制御する
ことを特徴とする貨幣処理装置。
【請求項１３】
請求項８〜１１のいずれか１項において、
前記貨幣を払い出す払出部を備え、
前記制御部は、前記収納部の収納異常に関する情報を出力する場合に、前記異金種収納部から繰り出された異金種貨幣が前記払出部に搬送されるように前記搬送部を制御する
ことを特徴とする貨幣処理装置。
【請求項１４】
請求項８〜１０のいずれか１項において、
前記制御部は、前記収納部の収納異常に関する情報を出力する場合に、該収納部に割り当てられた設定金種を前記異金種貨幣の金種に変更する
ことを特徴とする貨幣処理装置。
【発明の詳細な説明】
【技術分野】
【０００１】
ここに開示する技術は、貨幣処理装置に関する。
【背景技術】
【０００２】
従来、貨幣を処理する貨幣処理装置が知られている。例えば、特許文献１には、紙幣の収納と収納している紙幣の繰り出しとを行うように構成された収納部と識別部と制御部とを備えた紙幣処理装置が開示されている。この紙幣処理装置では、出金処理や回収処理や精査処理などの各種処理が行われる。
【先行技術文献】
【特許文献】
【０００３】
【特許文献１】特開２０１３−１２１２７号公報
【発明の概要】
【発明が解決しようとする課題】
【０００４】
ところで、特許文献１の貨幣処理装置では、例えば、係員が手作業により貨幣を収納部に装填する際に、収納部に収納すべき貨幣の金種とは異なる金種の貨幣が収納部に装填されてしまうことにより、収納部において収納異常（収納部に収納されている貨幣の一部または全部の金種と収納部に収納されるべき貨幣の金種とが一致しないという異常）が発生する場合がある。しかしながら、特許文献１の貨幣処理装置では、このような収納異常を確認することができない。
【０００５】
そこで、ここに開示する技術は、収納部に収納されている貨幣の一部または全部の金種と収納部に収納されるべき貨幣の金種とが一致しないという収納異常を確認することが可能な貨幣処理装置を提供することを目的とする。
【課題を解決するための手段】
【０００６】
ここに開示する技術は、貨幣処理装置に関し、この貨幣処理装置は、貨幣の収納と繰出を行う収納部と、前記収納部から繰り出された貨幣を搬送する搬送部と、前記搬送部によって搬送される貨幣の金種を識別する識別部と、前記識別部によって識別された貨幣の金種が前記収納部に収納されるべき貨幣の金種として前記収納部に割り当てられた設定金種と一致しない異金種貨幣に関する情報に基づいて前記収納部の収納異常に関する情報を出力する制御部とを備えている。
【０００７】
前記の構成では、異金種貨幣に関する情報に基づいて収納部の収納異常に関する情報を出力することにより、収納部に収納されている貨幣の一部または全部の金種と収納部に収納されるべき貨幣の金種とが一致しないという収納異常を確認することができる。
【０００８】
前記異金種貨幣に関する情報は、前記異金種貨幣の枚数に関する情報を含んでいてもよい。
【０００９】
前記の構成では、異金種貨幣の枚数に基づいて収納部の収納異常に関する情報を出力することができる。
【００１０】
前記制御部は、前記異金種貨幣の枚数が予め定められた閾値を上回る場合に、前記収納部の収納異常に関する情報を出力するように構成されていてもよい。
【００１１】
前記の構成では、収納部において収納異常が発生している場合、異金種貨幣が大量に発生することになる。したがって、異金種貨幣の枚数が予め定められた閾値を上回る場合に収納部の収納異常に関する情報を出力することにより、異金種貨幣の枚数に応じて収納部の収納異常に関する情報を適切に出力することができる。
【００１２】
前記閾値は、前記異金種貨幣の搬送先の収納容量に応じた値に設定されていてもよい。
【００１３】
前記の構成では、異金種貨幣の枚数が異金種貨幣の搬送先の収納容量に応じた値を上回る場合に、収納部の収納異常に関する情報を出力することができる。なお、収納部において収納異常が発生している場合、異金種貨幣の搬送先に異金種貨幣を搬送し続けると、異金種貨幣の大量発生によるエラー停止（異金種貨幣の搬送先が満杯状態となることで貨幣処理装置における貨幣の搬送が停止すること）が発生するおそれがある。したがって、異金種貨幣の枚数と異金種貨幣の搬送先の収納容量に応じた値とを比較して収納部の収納異常に関する情報を出力することにより、異金種貨幣の大量発生によるエラー停止の発生を未然に防止することができる。
【００１４】
前記閾値は、前記収納部から繰り出された貨幣の総枚数に応じた値に設定されていてもよい。
【００１５】
前記の構成では、異金種貨幣の枚数が収納部から繰り出された貨幣の総枚数に応じた値を上回る場合に、収納部の収納異常に関する情報を出力することができる。なお、収納部において収納異常が発生している場合、収納部から繰り出された貨幣の総枚数（すなわち収納部に収納されていた貨幣の総枚数）に対する異金種貨幣の枚数の割合が比較的に大きくなる傾向にある。したがって、異金種貨幣の枚数と収納部から繰り出された貨幣の総枚数に応じた値とを比較して収納部の収納異常に関する情報を出力することにより、異金種貨幣の枚数に応じて収納部の収納異常に関する情報を適切に出力することができる。
【００１６】
前記収納部の収納異常に関する情報は、前記設定金種に関する情報を含んでいてもよい。
【００１７】
前記の構成では、収納部の収納異常とともに、収納部の設定金種（すなわち収納部に収納されるべき貨幣の金種）を確認することができる。
【００１８】
前記収納部の収納異常に関する情報は、前記異金種貨幣の金種に関する情報を含んでいてもよい。
【００１９】
前記の構成では、収納部の収納異常とともに、異金種貨幣の金種を確認することができる。
【００２０】
前記貨幣処理装置は、前記異金種貨幣を収納する異金種収納部を備えていてもよい。前記制御部は、前記収納部から繰り出された貨幣が前記識別部において識別されて該識別部における識別結果に応じて該収納部に戻る精査処理において、前記異金種貨幣が前記異金種収納部に搬送されるように前記搬送部を制御するように構成されていてもよい。
【００２１】
前記の構成では、精査処理において処理される貨幣のうち異金種貨幣を異金種収納部に収納することができる。また、精査処理において収納部の収納異常に関する情報を出力することができるので、精査処理において収納部の収納異常を確認することができる。
【００２２】
前記貨幣処理装置は、前記異金種貨幣を収納する異金種収納部と、出金すべき貨幣を払い出す出金部とを備えていてもよい。前記制御部は、前記収納部から繰り出された貨幣が前記識別部において識別されて該識別部における識別結果に応じて前記出金部に搬送される出金処理において、前記異金種貨幣が前記異金種収納部に搬送されるように前記搬送部を制御するように構成されていてもよい。
【００２３】
前記の構成では、出金処理において処理される貨幣のうち異金種貨幣を異金種収納部に収納することができる。また、出金処理において収納部の収納異常に関する情報を出力することができるので、出金処理において収納部の収納異常を確認することができる。
【００２４】
前記貨幣処理装置は、前記異金種貨幣を収納する異金種収納部と、回収すべき貨幣を収納する回収収納部とを備えていてもよい。前記制御部は、前記収納部から繰り出された貨幣が前記識別部において識別されて該識別部における識別結果に応じて前記回収収納部に搬送される回収処理において、前記異金種貨幣が前記異金種収納部に搬送されるように前記搬送部を制御するように構成されていてもよい。
【００２５】
前記の構成では、回収処理において処理される貨幣のうち異金種貨幣を異金種収納部に収納することができる。また、回収処理において収納部の収納異常に関する情報を出力することができるので、回収処理において収納部の収納異常を確認することができる。
【００２６】
前記貨幣処理装置は、前記異金種貨幣を格納する異金種収納部と、前記貨幣が装填される装填収納部とを備えていてもよい。前記制御部は、前記収納部から繰り出された貨幣が前記識別部において識別されて該識別部における識別結果に応じて前記装填収納部に搬送される装填処理において、前記異金種貨幣が前記異金種収納部に搬送されるように前記搬送部を制御するように構成されていてもよい。
【００２７】
前記の構成では、装填処理において処理される貨幣のうち異金種貨幣を異金種収納部に収納することができる。また、装填処理において収納部の収納異常に関する情報を出力することができるので、装填処理において収納部の収納異常を確認することができる。
【００２８】
前記制御部は、前記収納部の収納異常に関する情報を出力する場合に、前記異金種収納部から繰り出された異金種貨幣が該収納部に戻るように前記搬送部を制御するように構成されていてもよい。
【００２９】
前記の構成では、異金種収納部に収納された異金種貨幣を収納部に戻すことができる。
【００３０】
前記貨幣処理装置は、前記貨幣を払い出す払出部を備えていてもよい。前記制御部は、前記収納部の収納異常に関する情報を出力する場合に、前記異金種収納部から繰り出された異金種貨幣が前記払出部に搬送されるように前記搬送部を制御するように構成されていてもよい。
【００３１】
前記の構成では、異金種収納部に収納された異金種貨幣を払出部から貨幣処理装置の外に払い出すことができる。
【００３２】
前記制御部は、前記収納部の収納異常に関する情報を出力する場合に、該収納部に割り当てられた設定金種を前記異金種貨幣の金種に変更するように構成されていてもよい。
【００３３】
前記の構成では、収納部に割り当てられた設定金種を異金種貨幣の金種に変更することにより、収納部に収納されている貨幣の金種と収納部に収納されるべき貨幣の金種とを一致させることができる。これにより、収納部の収納異常を解消することができる。
【発明の効果】
【００３４】
以上のように、収納部に収納されている貨幣の一部または全部の金種と収納部に収納されるべき貨幣の金種とが一致しないという収納異常を確認することができる。
【図面の簡単な説明】
【００３５】
【図１】実施形態による貨幣処理装置の外観を例示する斜視図である。
【図２】実施形態による貨幣処理装置の構成を例示する断面図である。
【図３】制御部について説明するためのブロック図である。
【図４】精査処理（一次搬送）について説明するための断面図である。
【図５】精査処理（二次搬送）について説明するための断面図である。
【図６】出金処理について説明するための断面図である。
【図７】回収処理について説明するための断面図である。
【図８】装填処理について説明するための断面図である。
【発明を実施するための形態】
【００３６】
以下、実施の形態を図面を参照して詳しく説明する。なお、図中同一または相当部分には同一の符号を付しその説明は繰り返さない。
【００３７】
（貨幣処理装置）
図１および図２は、この実施形態による貨幣処理装置１０の外観および構成を例示している。この例では、貨幣処理装置１０は、紙幣（貨幣の一例）を処理するように構成されている。また、この貨幣処理装置１０は、例えば、銀行のテラーカウンタに設置され、この貨幣処理装置１０を挟んだ左右二人のテラーによって共有で使用される。この貨幣処理装置１０は、処理部１１と、金庫部１２とを備えている。
【００３８】
〔処理部〕
処理部１１は、処理部側筐体１１ａと、入金部２１と、第１出金部２２と、第２出金部２３と、一時保留部３０と、搬送部４０と、識別部５０とを備えている。処理部側筐体１１ａは、入金部２１と、第１出金部２２と、第２出金部２３と、一時保留部３０と、搬送部４０と、識別部５０とを収納している。
【００３９】
〔金庫部〕
金庫部１２は、防護筐体１２ａを備えている。防護筐体１２ａの前面には、第１開閉扉１２ｂと第２開閉扉１２ｃとが設けられている。そして、金庫部１２は、第１開閉扉１２ｂに対応する第１金庫部１３と、第２開閉扉１２ｃに対応する第２金庫部１４とに区画されている。第１金庫部１３は、金庫部１２の上部を構成し、第２金庫部１４は、金庫部１２の下部を構成している。
【００４０】
〔第１金庫部〕
第１金庫部１３は、１つまたは複数の収納カセット（この例では第１〜第４収納カセット６１〜６４）と精査カセット６５を備えている。この例では、第１〜第４収納カセット６１〜６４と精査カセット６５は、貨幣処理装置１０の奥行方向（図２では左右方向）に並んで配置されている。また、第４収納カセット６４は、カセット上部６０１とカセット下部６０２とに区画されている。
【００４１】
また、この例では、第１〜第４収納カセット６１〜６４と精査カセット６５は、貨幣処理装置１０（この例では第１金庫部１３）に対して着脱可能に構成されている。具体的には、第１金庫部１３は、貨幣処理装置１０の手前に引き出し可能なスライド収納部１３ａを有し、第１〜第４収納カセット６１〜６４と精査カセット６５は、スライド収納部１３ａに対して着脱可能に構成されている。このような構成により、第１金庫部１３の第１開閉扉１２ｂを開けてスライド収納部１３ａを装置の手前に引き出すことができ、そのスライド収納部１３ａに対して第１〜第４収納カセット６１〜６４を着脱することが可能となっている。
【００４２】
なお、精査カセット６５は、スライド収納部１３ａに対してではなく、第１金庫部１３のうちスライド収納部１３ａとは異なる他の部分に対して着脱可能に構成されていてもよいし、貨幣処理装置１０のうち第１金庫部１３とは異なる他の部分（例えば処理部１１）に対して着脱可能に構成されていてもよい。
【００４３】
〔第２金庫部〕
第２金庫部１４は、回収カセット７０を備えている。この例では、回収カセット７０は、第２金庫部１４に対して着脱可能に構成されている。
【００４４】
〔入金部〕
入金部２１は、紙幣が投入されるように構成されている。具体的には、入金部２１は、処理部側筐体１１ａの上面において上向きに開口する入金口２１ａを有し、複数枚の紙幣を一度に受け入れ可能に構成されている。また、入金部２１には、入金部２１に投入された複数枚の紙幣を一枚ずつ搬送部４０に繰り出す繰出機構（図示を省略）が設けられている。
【００４５】
〔第１出金部〕
第１出金部２２は、紙幣を払い出すように構成されている。具体的には、第１出金部２２は、入金口２１ａよりも装置手前側（図２では右側）の処理部側筐体１１ａにおける上面から前面にかけての位置において斜め上方へ向けて開口する第１出金口２２ａを有し、複数枚の紙幣を一度に保持可能に構成されている。
【００４６】
〔第２出金部〕
第２出金部２３は、紙幣を払い出すように構成されている。具体的には、第２出金部２３は、第１出金口２２ａよりも装置手前側（図２では右側）の処理部側筐体１１ａにおける上面から前面にかけての位置において斜め上方へ向けて開口する第２出金口２３ａを有し、複数枚の紙幣を一度に保持可能に構成されている。
【００４７】
〔一時保留部〕
一時保留部３０は、紙幣を一時的に保留するように構成されている。すなわち、一時保留部３０は、紙幣の収納と繰出を行うように構成されている。この例では、一時保留部３０は、紙幣を一枚ずつ巻き取って収納し、その収納した順番とは逆順で紙幣を一枚ずつ繰り出す（いわゆる先入れ後出しとなる）ように構成されている。すなわち、一時保留部３０は、巻き取り式に構成されている。なお、一時保留部３０は、複数枚の紙幣を上下方向（または水平方向）に重ねて収納するように構成されていてもよい。すなわち、一時保留部３０は、スタック式に構成されていてもよい。
【００４８】
また、一時保留部３０は、例えば、貨幣処理装置１０の入金処理において入金部２１から投入された紙幣を一時的に保留するために使用されてもよい。なお、この貨幣処理装置１０では、一時保留部３０は、上記の用途とは異なる別の用途にも使用される。一時保留部３０の使用用途については、後で詳しく説明する。
【００４９】
〔搬送部〕
搬送部４０は、貨幣処理装置１０の各部（この例では、入金部２１と第１出金部２２と第２出金部２３と一時保留部３０と第１〜第４収納カセット６１〜６４と精査カセット６５と回収カセット７０）に接続されて紙幣を搬送するように構成されている。例えば、搬送部４０は、紙幣の収納と繰出を行う収納部（例えば第１収納カセット６１）から繰り出された貨幣を搬送する。
【００５０】
この例では、搬送部４０は、ループ搬送路４１と、投入路４２と、第１払出路４３と、第２払出路４４と、１つまたは複数（この例では４つ）の収納路４５と、第１接続路４６と、第２接続路４７と、分岐路４８とを有している。ループ搬送路４１は、環状に形成されている。投入路４２，第１払出路４３，第２払出路４４は、ループ搬送路４１から入金部２１，第１出金部２２，第２出金部２３へ向けてそれぞれ延びている。一時保留部３０は、第２払出路４４の途中に接続されている。４つの収納路４５は、ループ搬送路４１から第１収納カセット６１，第２収納カセット６２，第３収納カセット６３，第４収納カセット６４（具体的にはカセット上部６０１）へ向けてそれぞれ延びている。第１接続路４６および第２接続路４７は、ループ搬送路４１から精査カセット６５および回収カセット７０へ向けてそれぞれ延びている。分岐路４８は、第２接続路４７の途中から第４収納カセット６４（具体的にはカセット下部６０２）へ向けて延びている。これらの搬送路は、紙幣を搬送するための搬送ベルト，搬送ベルトを駆動するための駆動機構，紙幣の搬送を案内するためのガイド機構，紙幣の搬送方向を切り換えるための分岐機構などによって構成されている。
【００５１】
〔識別部〕
識別部５０は、紙幣を識別するように構成されている。この例では、識別部５０は、搬送部４０のループ搬送路４１に設けられ、搬送部４０によって搬送される紙幣の金種を識別するように構成されている。なお、識別部５０は、紙幣の金種の他に、紙幣の真偽や正損などを識別するように構成されていてもよい。また、識別部５０は、紙幣の搬送状態を識別するように構成されていてもよい。例えば、識別部５０は、ラインセンサ，磁気センサ，画像センサなどの各種センサ，ＣＰＵなどの演算処理部，演算処理部を動作させるためのプログラムや情報を記憶するメモリなどの記憶部などによって構成されている。
【００５２】
〔収納カセット〕
第１収納カセット６１は、紙幣の収納と繰出を行うように構成されている。この例では、第１収納カセット６１は、複数枚の紙幣を上下方向に重ねて収納する方式（すなわちスタック式）に構成されている。また、第１収納カセット６１は、上下に細長い直方体状に形成され、貨幣処理装置１０（この例ではスライド収納部１３ａ）に対して着脱可能となる方式（すなわちカセット式）に構成されている。
【００５３】
具体的には、第１収納カセット６１の上面には、紙幣を通過させるための出入口が設けられており、その出入口には、搬送部４０の収納路４５が接続されている。そして、第１収納カセット６１の出入口の近傍には、繰入繰出機構８０が設けられている。繰入繰出機構８０は、搬送部４０が第１収納カセット６１に紙幣を１枚ずつ繰り入れ、第１収納カセット６１から搬送部４０に紙幣を１枚ずつ繰り出すように構成されている。また、第１収納カセット６１には、集積台８１が設けられている。集積台８１は、第１収納カセット６１に集積される紙幣の量に応じて昇降するように構成されている。すなわち、第１収納カセット６１に集積された紙幣の量が多くなるに連れて集積台８１が降下していく。このような構成により、搬送部４０から第１収納カセット６１の内部に送り込まれた紙幣は、集積台８１の上に順に積み重ねられる。また、集積台８１に積み重ねられた紙幣は、上から順に第１収納カセット６１の内部から搬送部４０に繰り出される。すなわち、第１収納カセット６１は、搬送部４０との間で紙幣の受け渡しを行うように構成されている。
【００５４】
また、第１収納カセット６１には、通過センサ８２が設けられている。通過センサ８２は、第１収納カセット６１の出入口に設けられ、第１収納カセット６１の出入口における紙幣の通過を検知するように構成されている。具体的には、通過センサ８２は、光を送信する送信部と光を受信する受信部とを有し、第１収納カセット６１の出入口を通過する紙幣により光が遮断されるように配置され、光が遮断されることによって紙幣が通過したことを検出するように構成されている。
【００５５】
なお、第２収納カセット６２および第３収納カセット６３は、第１収納カセット６１と同様の構成を有している。そして、第２収納カセット６２および第３収納カセット６３にも、繰入繰出機構８０と集積台８１と通過センサ８２が設けられている。
【００５６】
第４収納カセット６４は、その内部が仕切壁によって上下に区画されており、その上部がカセット上部６０１を構成し、その下部がカセット下部６０２を構成している。カセット上部６０１の上面には、紙幣を通過させるための出入口が設けられており、その出入口には、搬送部４０の収納路４５が接続されている。また、カセット下部６０２の側面上部には、紙幣を通過させるための出入口が設けられており、その出入口には、搬送部４０の分岐路４８が接続されている。そして、第１収納カセット６１と同様に、カセット上部６０１およびカセット下部６０２にも、繰入繰出機構８０と集積台８１と通過センサ８２が設けられている。すなわち、第１収納カセット６１と同様に、カセット上部６０１およびカセット下部６０２は、紙幣の収納と繰出を行うように構成され、搬送部４０との間で紙幣の受け渡しを行うように構成されている。
【００５７】
〔精査カセット〕
精査カセット６５は、紙幣の収納と繰出を行うように構成されている。この例では、精査カセット６５は、複数枚の紙幣を上下方向に重ねて収納する方式（すなわちスタック式）に構成されている。また、精査カセット６５は、上下に細長い直方体状に形成され、貨幣処理装置１０（この例ではスライド収納部１３ａ）に対して着脱可能となる方式（すなわちカセット式）に構成されている。
【００５８】
具体的には、精査カセット６５は、第１収納カセット６１と同様の構成を有している。そして、精査カセット６５にも、繰入繰出機構８０と集積台８１と通過センサ８２が設けられている。すなわち、第１収納カセット６１と同様に、精査カセット６５は、搬送部４０との間で紙幣の受け渡しを行うように構成されている。なお、精査カセット６５の収納容量は、第１〜第４収納カセット６１〜６４の収納容量（１つの収納カセットの収納容量）と同等かそれよりも大きい収納容量に設定されていることが好ましい。
【００５９】
〔回収カセット〕
回収カセット７０は、紙幣の収納を行うように構成されている。この例では、回収カセット７０は、複数枚の紙幣を水平方向に重ねて収納する方式（すなわちスタック式）に構成されている。また、回収カセット７０は、貨幣処理装置１０の奥行き方向に細長い直方体状に形成され、貨幣処理装置１０（この例では第２金庫部１４）に対して着脱可能となる方式（すなわちカセット式）に構成されている。
【００６０】
具体的には、回収カセット７０の上面には、紙幣を通過させるための連通口が設けられており、その連通口には、搬送部４０の第２接続路４７が接続されている。また、回収カセット７０の内部には、札押さえ（図示を省略）が設けられている。札押さえは、回収カセット７０に集積された紙幣の収納量に応じて貨幣処理装置１０の奥行き方向に移動するように構成されている。すなわち、回収カセット７０に収納された紙幣の量が多くなるに連れて札押さえが貨幣処理装置１０の奥側（図２では左側）に移動していく。このような構成により、搬送部４０から回収カセット７０の内部に送り込まれた紙幣は、起立した状態で奥行き方向に並んで収納される。
【００６１】
また、回収カセット７０には、通過センサ８２が設けられている。なお、回収カセット７０は、第１〜第４収納カセット６１〜６４や精査カセット６５とは異なり、収納している紙幣を繰り出し不可に構成されている。
【００６２】
〔制御部〕
貨幣処理装置１０は、制御部１００を備えている。この例では、制御部１００は、処理部側筐体１１ａに収納されている。また、図３に示すように、制御部１００は、貨幣処理装置１０の各部（この例では、入金部２１，第１出金部２２，第２出金部２３，一時保留部３０，搬送部４０，識別部５０，第１〜第３収納カセット６１〜６３，第４収納カセット６４のカセット上部６０１およびカセット下部６０２，精査カセット６５，回収カセット７０）と信号を伝送可能に接続されている。例えば、制御部１００は、ＣＰＵなどの演算処理部や、演算処理部を動作させるためのプログラムや情報を格納するメモリなどの記憶部などによって構成されている。
【００６３】
また、制御部１００は、外部機器（この例では、操作部２０１，通信部２０２，記憶部２０３，表示部２０４）と信号を伝送可能に接続されている。操作部２０１は、貨幣処理装置１０を操作するオペレータ（例えばテラー）に対するヒューマンインターフェース部分であり、オペレータによる操作に応じて情報を入力するように構成されている。通信部２０２は、貨幣処理装置１０が上位機やその他の外部機器（図示を省略）との間で有線通信（例えばＬＡＮやシリアルバスなどを用いた通信）や無線通信を行うために設けられている。すなわち、制御部１００は、通信部２０２を介して上位機やその他の外部機器（図示を省略）と通信可能となっている。記憶部２０３は、各種の情報を記憶するために設けられており、例えば、ハードディスクドライブやフラッシュメモリなどの汎用のストレージデバイスによって構成されている。表示部２０４は、各種の情報を表示するために設けられており、例えば、フラットパネルディスプレイによって構成されている。また、貨幣処理装置１０の各部には、通過センサ８２などの各種センサ（図示を省略）が設けられており、これらの各種センサの検出信号は、制御部１００に送信される。
【００６４】
そして、制御部１００は、貨幣処理装置１０において各種処理（例えば、精査処理，出金処理，回収処理，装填処理など）が行われるように、貨幣処理装置１０の各部や外部機器から送信された信号や情報に基づいて貨幣処理装置１０の各部を制御する。なお、貨幣処理装置１０における各種処理（具体的には精査処理と出金処理と回収処理と装填処理）については、後で詳しく説明する。
【００６５】
〔設定金種〕
また、貨幣処理装置１０では、紙幣の収納と繰出を行う収納部（具体的には第１〜第３収納カセット６１〜６３や第４収納カセット６４のカセット上部６０１やカセット下部６０２など）に対して、その収納部に収納されるべき紙幣の金種が割り当てられている。以下の説明では、収納部に収納されるべき紙幣の金種として収納部に割り当てられている紙幣の金種を「設定金種」と記載する。
【００６６】
なお、収納部に対して割り当てられた設定金種は、記憶部２０３に記憶されている。すなわち、記憶部２０３には、収納部と設定金種との対応関係を示した設定金種情報（どの収納部に対してどの金種が設定金種として割り当てられているのかを示した情報）が記憶されている。制御部１００は、記憶部２０３に記憶された設定金種情報に基づいて、収納部に割り当てられた設定金種を取得することができる。
【００６７】
〔異金種貨幣と収納異常〕
また、収納部（例えば第１収納カセット６１）に収納されている紙幣の一部または全部の金種と収納部に収納されるべき紙幣の金種とが一致していない場合、その収納部から繰り出されて識別部５０において識別された紙幣の一部または全部の金種がその収納部に割り当てられた設定金種（その収納部に収納されるべき紙幣の金種）と一致しなくなる。このような異常は、収納部に割り当てられた設定金種とは異なる金種の紙幣が収納部に誤って収納されている場合（例えば収納部の装填ミス、具体例としては第１収納カセット６１の装着位置に第２収納カセット６２が誤って装着されている場合など）や、収納部に収納されている紙幣の金種とは異なる金種が設定金種として収納部に誤って割り当てられている場合（例えば設定金種の設定ミス、具体例としては第２収納カセット６２に対して設定金種として割り当てられてるべき金種が第１収納カセット６１に対して設定金種として誤って割り当てられている場合など）に発生する。
【００６８】
なお、以下の説明では、搬送元である収納部（例えば第１収納カセット６１）から繰り出されて識別部５０において識別された紙幣のうち、識別部５０において識別された紙幣の金種が搬送元である収納部に割り当てられた設定金種（すなわち搬送元である収納部に収納されるべき紙幣の金種）と一致しない紙幣を「異金種貨幣」と記載する。
【００６９】
また、以下の説明では、紙幣の収納と繰出を行う収納部（例えば第１収納カセット６１）に収納されている紙幣の一部または全部の金種と、その収納部に収納されるべき紙幣の金種とが一致していないという異常を「収納異常」と記載する。
【００７０】
〔制御部の基本動作〕
制御部１００は、貨幣処理装置１０の各種処理において、搬送元である収納部（例えば第１収納カセット６１）から繰り出された紙幣が識別部５０において識別されて識別部５０における識別結果に応じて所定の搬送先に搬送されるように搬送部４０を制御する。
【００７１】
具体的には、制御部１００は、識別部５０による紙幣の識別結果（紙幣の金種に関する識別結果）に基づいて、その紙幣（搬送元である収納部から繰り出されて識別部５０において識別された紙幣）が異金種貨幣に該当するか否かを判定する。例えば、制御部１００は、識別部５０によって識別された紙幣の金種と記憶部２０３に記憶された設定金種（その紙幣の搬送元である収納部に割り当てられた設定金種）とを比較し、識別部５０によって識別された紙幣の金種が記憶部２０３に記憶された設定金種と一致していない場合に、その紙幣が異金種貨幣に該当すると判定する。また、貨幣処理装置１０では、異金種貨幣を収納するための異金種収納部が各種処理毎に予め定められている。そして、制御部１００は、異金種貨幣が各種処理において予め定められている異金種収納部（例えば一時保留部３０）に搬送されるように搬送部４０を制御する。
【００７２】
また、制御部１００は、貨幣処理装置１０の各種処理において、異金種貨幣に関する情報に基づいて、搬送元である収納部（例えば第１収納カセット６１）の収納異常に関する情報を出力する。なお、以下の説明では、異金種貨幣に関する情報を「異金種貨幣情報」と記載し、搬送元である収納部の収納異常に関する情報を「収納異常情報」と記載する。例えば、制御部１００は、収納異常情報を表示部２０４に出力して収納異常情報を示した画像を表示部２０４に表示させる。収納異常情報については、後で詳しく説明する。
【００７３】
〔異金種貨幣情報〕
この例では、異金種貨幣情報は、異金種貨幣の枚数に関する情報を含んでいる。具体的には、異金種貨幣情報は、異金種貨幣の累積枚数（合計枚数）に関する情報や、異金種貨幣の搬送先へ向けて連続して搬送される異金種貨幣の枚数（以下「異金種貨幣の連続枚数」と記載）に関する情報などを含んでいる。例えば、制御部１００は、識別部５０による紙幣の識別結果に基づいて異金種貨幣の枚数を計数し、その計数結果に基づいて異金種貨幣の枚数に関する情報を含む異金種貨幣情報を生成する。
【００７４】
また、制御部１００は、異金種貨幣情報から異金種貨幣の枚数に関する情報を取得し、異金種貨幣の枚数が予め定められた閾値を上回る場合に、収納異常情報を出力するように構成されている。この閾値は、貨幣処理装置１０の各種処理において収納部に収納異常が発生しているか否かを判定するための基準値であり、例えば、搬送元である収納部において収納異常が発生しているとみなすことができるときの異金種貨幣の枚数に設定されている。なお、以下の説明では、異金種貨幣の枚数に対して予め定められた閾値を「収納異常閾値」と記載する。収納異常閾値については、後で詳しく説明する。
【００７５】
〔実施形態による効果〕
以上のように、貨幣処理装置１０の各種処理において、異金種貨幣情報（異金種貨幣に関する情報）に基づいて収納異常情報（収納部の収納異常に関する情報）を出力することにより、貨幣処理装置１０の各種処理において、搬送元である収納部の収納異常（収納部に収納されている紙幣の一部または全部と収納部に収納されるべき紙幣とが一致しないという収納異常）を確認することができる。
【００７６】
また、搬送元である収納部の収納異常を確認することができるので、貨幣処理装置１０のオペレータは、搬送元である収納部の装着ミス（収納部に割り当てられた設定金種とは異なる金種の紙幣が収納部に誤って収納されるというミス）や、金種の設定ミス（収納部に収納されている紙幣の金種とは異なる金種が設定金種として収納部に対して誤って割り当てられるというミス）を解消することができる。
【００７７】
また、この実施形態による貨幣処理装置１０では、異金種貨幣情報に異金種貨幣の枚数に関する情報が含まれている。そのため、制御部１００は、異金種貨幣の枚数に基づいて収納異常情報を出力することができる。
【００７８】
また、この実施形態による貨幣処理装置１０では、制御部１００は、異金種貨幣の枚数が収納異常閾値（予め定められた閾値）を上回る場合に収納異常情報を出力するように構成されている。なお、搬送元である収納部において収納異常が発生している場合、異金種貨幣が大量に発生することになる。したがって、異金種貨幣の枚数が収納異常閾値を上回る場合に収納異常情報を出力することにより、異金種貨幣の枚数に応じて収納異常情報を適切に出力することができる。
【００７９】
〔収納異常閾値の詳細〕
なお、収納異常閾値（異金種貨幣の枚数に対して予め定められた閾値）は、次のような値に設定されていてもよい。
【００８０】
例えば、異金種貨幣情報が異金種貨幣の累積枚数に関する情報を含んでいる場合、収納異常情報は、異金種貨幣の搬送先の収納容量に応じた値に設定されていてもよい。具体的には、収納異常閾値は、搬送元である収納部において収納異常が発生して異金種貨幣の搬送先が満杯状態となるおそれがあるときの異金種貨幣の枚数（例えば異金種貨幣の搬送先の収納容量の９０％）に設定されていてもよい。
【００８１】
以上のように、収納異常閾値を異金種貨幣の搬送先の収納容量に応じた値に設定することにより、制御部１００は、異金種貨幣の枚数が異金種貨幣の搬送先の収納容量に応じた値を上回る場合に、収納異常情報を出力することができる。なお、搬送元である収納部において収納異常が発生している場合に、異金種貨幣の搬送先に異金種貨幣を搬送し続けると、異金種貨幣の大量発生によるエラー停止（異金種貨幣の搬送先が満杯状態となることで貨幣処理装置１０における貨幣の搬送が停止すること）が発生するおそれがある。したがって、異金種貨幣の枚数と異金種貨幣の搬送先の収納容量に応じた値とを比較して収納異常情報を出力することにより、異金種貨幣の大量発生によるエラー停止の発止得を未然に防止することができる。
【００８２】
また、異金種貨幣情報が異金種貨幣の累積枚数に関する情報を含んでいる場合、収納異常閾値は、搬送元である収納部から繰り出された紙幣の総枚数（すなわち搬送元である収納部に収納されていた紙幣の総枚数）に応じた値に設定されていてもよい。具体的には、収納異常閾値は、搬送元である収納部から繰り出された紙幣の総枚数に対して予め定められた割合（搬送元である収納部において収納異常が発生しているとみなせるときの収納部から繰り出された紙幣の総枚数に対する異金種貨幣の枚数の割合、例えば９０％）を乗算して得られる値に設定されていてもよい。
【００８３】
以上のように、収納異常閾値を収納部に収納された紙幣の総枚数に応じた値に設定することにより、制御部１００は、異金種貨幣の枚数が収納部から繰り出された紙幣の総枚数に応じた値を上回る場合に、収納異常情報を出力することができる。なお、搬送元である収納部において収納異常が発生している場合、その収納部から繰り出された紙幣の総枚数（すなわち収納部に収納されていた紙幣の総枚数）に対する異金種貨幣の枚数の割合が比較的に大きくなる傾向にある。したがって、異金種貨幣の枚数と収納部から繰り出された紙幣の総枚数に応じた値とを比較して収納異常情報を出力することにより、異金種貨幣の枚数に応じて収納異常情報を適切に出力することができる。
【００８４】
また、異金種貨幣情報が異金種貨幣の連続枚数に関する情報を含んでいる場合、収納異常閾値は、搬送元である収納部において収納異常が発生しているとみなすことができるときに異金種貨幣の搬送先へ向けて連続して搬送される異金種貨幣の枚数（例えば１５枚）に設定されていてもよい。
【００８５】
〔収納異常情報の詳細〕
なお、収納異常情報は、次のような情報を含んでいてもよい。
【００８６】
例えば、収納異常情報は、搬送元である収納部において収納異常が発生していることを通知するための情報（以下「異常通知情報」と記載）を含んでいてもよい。例えば、制御部１００は、異常通知情報を含む収納異常情報を表示部２０４に出力して、異常通知情報を含む画像（例えば搬送元である収納部において収納異常が発生していることを示した画像）を表示部２０４に表示させるように構成されていてもよい。
【００８７】
また、収納異常情報は、設定金種（具体的には搬送元である収納部に割り当てられた設定金種）に関する情報を含んでいてもよい。例えば、制御部１００は、設定金種に関する情報と異常通知情報とを含む収納異常情報を表示部２０４に出力して、異常通知情報を含む画像とともに（または異常通知情報を含む画像の表示後に）設定金種に関する情報を示した画像（例えば搬送元である収納部に割り当てられた設定金種を示した画像）を表示部２０４に表示させるように構成されていてもよい。
【００８８】
以上のように、収納異常情報が設定金種に関する情報を含んでいることにより、搬送元である収納部の収納異常とともに、その収納部の設定金種（その収納部に収納されるべき貨幣の金種）を確認することができる。
【００８９】
また、収納異常情報は、異金種貨幣の金種に関する情報を含んでいてもよい。例えば、制御部１００は、異金種貨幣の金種に関する情報と異常通知情報とを含む収納異常情報を表示部２０４に出力して、異常通知情報を含む画像とともに（または異常通知情報を含む画像の表示後に）異金種貨幣の金種に関する情報（例えば異金種貨幣の金種を示した画像）を表示部２０４に表示させるように構成されていてもよい。
【００９０】
以上のように、収納異常情報が異金種貨幣の金種に関する情報を含んでいることにより、搬送元である収納部の収納異常とともに、異金種貨幣の金種を確認することができる。
【００９１】
〔異常対応動作〕
なお、制御部１００は、貨幣処理装置１０の各種処理において収納異常情報を出力する場合（すなわち搬送元である収納部において収納異常が発生している場合）に、貨幣処理装置１０の各種処理を中断させた後に、次のような動作を行うように構成されていてもよい。
【００９２】
〈貨幣返送動作〉
例えば、制御部１００は、貨幣処理装置１０の各種処理において収納異常情報を出力する場合に、貨幣返送動作を行うように構成されていてもよい。貨幣返送動作では、制御部１００は、異金種収納部（例えば一時保留部３０）から繰り出された紙幣（異金種貨幣）が搬送元である収納部（例えば第１収納カセット６１）に戻るように搬送部４０を制御する。
【００９３】
以上のように、貨幣返送動作を行うことにより、貨幣処理装置１０の各種処理において収納異常情報を出力する場合（すなわち搬送元である収納部において収納異常が発生している場合）に、異金種収納部に収納された異金種貨幣を搬送元である収納部に戻すことができる。
【００９４】
〈貨幣払出動作〉
また、貨幣処理装置１０の各種処理において、異金種貨幣を払い出すための払出部が予め定められていてもよい。そして、制御部１００は、貨幣処理装置１０の各種処理において収納異常情報を出力する場合に、貨幣払出動作を行うように構成されていてもよい。貨幣払出動作では、制御部１００は、異金種収納部から繰り出された紙幣（異金種貨幣）が払出部（例えば第２出金部２３）に搬送されるように搬送部４０を制御する。
【００９５】
以上のように、貨幣払出動作を行うことにより、貨幣処理装置１０の各種処理において収納異常情報を出力する場合（すなわち搬送元である収納部において収納異常が発生している場合）に、異金種収納部に収納された異金種貨幣を払出部から貨幣処理装置１０の外に払い出すことができる。
【００９６】
〈設定変更動作〉
また、制御部１００は、貨幣処理装置１０の各種処理において収納異常情報を出力する場合に、設定変更動作を行うように構成されていてもよい。設定変更動作では、制御部１００は、搬送元である収納部に割り当てられた設定金種を異金種貨幣の金種（複数の金種が存在する場合は最も多い金種）に変更する。
【００９７】
以上のように、設定変更動作を行うことにより、貨幣処理装置１０の各種処理において収納異常情報を出力する場合（すなわち搬送元である収納部において収納異常が発生している場合）に、搬送元である収納部に収納されている紙幣の金種と搬送元である収納部に収納されるべき紙幣の金種（すなわち設定金種）とを一致させることができる。これにより、搬送元である収納部の収納異常を解消することができる。
【００９８】
〔貨幣処理装置の各種処理〕
次に、図４〜図８を参照して、貨幣処理装置１０の各種処理（具体的には精査処理と出金処理と回収処理と装填処理）について説明する。なお、以下の説明では、搬送元である収納部から繰り出されて識別部５０において識別された紙幣のうち、識別部５０において識別された紙幣の金種が搬送元である収納部に割り当てられた設定金種（すなわち搬送元である収納部に収納されるべき紙幣の金種）と一致する紙幣であり、貨幣処理装置１０の各種処理において予め定められた搬送先に搬送することが許可された紙幣を「正常貨幣」と記載する。
【００９９】
〔精査処理〕
まず、図４，図５を参照して、貨幣処理装置１０の精査処理について説明する。精査処理は、収納部に収納されている紙幣を精査する処理（具体的には紙幣の数量や種類などを確定する処理）のことである。
【０１００】
精査処理では、搬送元となる収納部（すなわち精査処理の対象となる収納部）と、異金種貨幣を収納するための異金種収納部とが予め定められている。図４，図５の例では、第１収納カセット６１が搬送元となる収納部に該当し、一時保留部３０が異金種収納部に該当する。
【０１０１】
〈精査処理における基本動作〉
制御部１００は、精査処理において、搬送元である収納部（この例では第１収納カセット６１）から繰り出された紙幣が識別部５０において識別されて識別部５０における識別結果に応じて搬送元である収納部に戻るように搬送部４０を制御する。また、制御部１００は、精査処理において、異金種貨幣が異金種収納部（この例では一時保留部３０）に搬送されるように搬送部４０を制御する。
【０１０２】
詳しく説明すると、精査処理では、異金種収納部の他に、精査処理において紙幣を一時的に収納するための精査収納部が予め定められている。この例では、精査カセット６５が精査収納部に該当する。また、この例では、精査処理として第１精査処理と第２精査処理とが存在する。
【０１０３】
〈第１精査処理〉
まず、第１精査処理について説明する。第１精査処理では、制御部１００は、搬送元である収納部（この例では第１収納カセット６１）から繰り出された紙幣が識別部５０において識別されて精査収納部（この例では精査カセット６５）に搬送される一次搬送と、精査収納部から繰り出された紙幣が識別部５０における識別結果（一次搬送において取得された識別結果）に応じて搬送元である収納部または異金種収納部（この例では一時保留部）に搬送される二次搬送とが行われるように搬送部４０を制御する。第１精査処理では、以下のような動作が行われる。
【０１０４】
まず、図４に示すように、第１精査処理の一次搬送では、第１収納カセット６１から繰り出された紙幣は、搬送部４０によって識別部５０に搬送されて識別部５０において識別された後に、精査カセット６５に搬送される。識別部５０において取得された情報（すなわち識別部５０における紙幣の識別結果）は、制御部１００に送信される。なお、識別部５０において取得された情報には、識別部５０において識別された紙幣の金種に関する情報が含まれている。このようにして、第１収納カセット６１に収納された全ての紙幣が１枚ずつ順番に識別部５０を通過して精査カセット６５に搬送される。
【０１０５】
一方、制御部１００は、第１精査処理の一次搬送において、識別部５０において取得された情報に基づいて、第１収納カセット６１から繰り出されて識別部５０において識別された紙幣が正常貨幣に該当するのか異金種貨幣に該当するのかを判定する。なお、この例では、正常貨幣は、識別部５０において識別された紙幣の金種が搬送元である収納部（この例では第１収納カセット６１）に割り当てられた設定金種と一致する紙幣であり、搬送元である収納部に戻すことが許可された紙幣である。
【０１０６】
次に、第１精査処理の一次搬送が完了すると、第１精査処理の二次搬送が行われる。第１精査処理の二次搬送では、制御部１００は、図５の実線の矢印で示すように、精査カセット６５に収納された紙幣のうち正常貨幣が第１収納カセット６１に搬送されるように搬送部４０を制御する。また、制御部１００は、図５の破線の矢印で示すように、精査カセット６５に収納された紙幣のうち異金種貨幣が一時保留部３０に搬送されるように搬送部４０を制御する。
【０１０７】
また、制御部１００は、第１精査処理の一次搬送において、異金種貨幣情報に基づいて収納異常情報を出力する。例えば、制御部１００は、第１精査処理の一次搬送において、異金種貨幣の枚数が収納異常閾値を上回る場合に、収納異常情報を出力する。
【０１０８】
以上のように、精査処理（第１精査処理）において異金種収納部を設けることにより、精査処理において処理される紙幣のうち異金種貨幣を異金種収納部に搬送することができる。また、精査処理において収納異常情報を出力することにより、精査処理において搬送元である収納部の収納異常を確認することができる。
【０１０９】
〈第１精査処理における異常対応動作〉
また、制御部１００は、第１精査処理において収納異常情報を出力する場合（すなわち搬送元である収納部において収納異常が発生している場合）に、第１精査処理を中断した後に、次のような動作を行うように構成されていてもよい。
【０１１０】
《第１精査処理における第１異常対応動作》
例えば、制御部１００は、第１精査処理（第１精査処理の一次搬送）において収納異常情報を出力する場合に、第１精査処理のための動作を中断して第１異常対応動作を行うように構成されていてもよい。第１精査処理における第１異常対応動作では、制御部１００は、精査収納部（この例では精査カセット６５）から繰り出された紙幣が搬送元である収納部（この例では第１収納カセット６１）に戻るように搬送部４０を制御する。
【０１１１】
また、制御部１００は、第１精査処理における第１異常対応動作の完了後に、搬送元である収納部（この例では第１収納カセット６１）を貨幣処理装置１０から取り外すことを指示するための情報を出力するように構成されていてもよい。例えば、制御部１００は、搬送元である収納部を貨幣処理装置１０から取り外すことを指示する画像を表示部２０４に表示させるように構成されていてもよい。
【０１１２】
以上のように、第１精査処理における第１異常対応動作を行うことにより、精査収納部に収納された紙幣を搬送元である収納部に戻すことができる。これにより、搬送元である収納部における紙幣の収納状態を初期状態（第１精査処理が開示される前の状態）に戻すことができる。
【０１１３】
《第１精査処理における第２異常対応動作》
また、第１精査処理において、異金種貨幣を払い出すための払出部が予め定められていてもよい。例えば、この例では、第２出金部２３が払出部に該当する。そして、制御部１００は、第１精査処理（第１精査処理の一次搬送）において収納異常情報を出力する場合に、第１精査処理のための動作を中断して第２異常対応動作を行うように構成されていてもよい。第１精査処理における第２異常対応動作では、制御部１００は、精査収納部（この例では精査カセット６５）から繰り出された紙幣が払出部（この例では第２出金部２３）に搬送されるように搬送部４０を制御する。
【０１１４】
また、制御部１００は、第１精査処理における第２異常対応動作の完了後に、搬送元である収納部（この例では第１収納カセット６１）を貨幣処理装置１０から取り外すことを指示するための情報を出力するように構成されていてもよい。
【０１１５】
以上のように、第１精査処理における第２異常対応動作を行うことにより、精査収納部に収納された紙幣を払出部から貨幣処理装置１０外に払い出すことができる。
【０１１６】
《第１精査処理における第３異常対応動作（設定変更動作）》
また、制御部１００は、第１精査処理（第１精査処理の一次搬送）において収納異常情報を出力する場合に、第１精査処理の一次搬送の完了後に、第１精査処理のための動作を中断して第３異常対応動作を行うように構成されていてもよい。第１精査処理における第３異常対応動作では、制御部１００は、搬送元である収納部（この例では第１収納カセット６１）に割り当てられた設定金種を異金種貨幣の金種（複数の金種が存在する場合は最も多い金種）に変更する。なお、第１精査処理における第３異常対応動作は、設定変更動作の一例に該当する。
【０１１７】
また、制御部１００は、第１精査処理における第３異常対応動作の完了後に、搬送元である収納部に割り当てられた設定金種が変更されたことを通知するための情報を出力するように構成されていてもよい。例えば、制御部１００は、搬送元である収納部に割り当てられた変更後の設定金種を示した画像を表示部２０４に表示させるように構成されていてもよい。
【０１１８】
また、制御部１００は、第１精査処理における第３異常対応動作の完了後に、次のような第１精査処理の二次搬送を行うように構成されていてもよい。この第１精査処理の二次搬送では、制御部１００は、精査収納部（この例では精査カセット６５）に収納された紙幣のうち識別部５０において識別された紙幣の金種が収納元である収納部（この例では第１収納カセット６１）に割り当てられた変更後の設定金種と一致する紙幣が搬送元である収納部に搬送され、精査収納部に収納された紙幣のうち識別部５０において識別された紙幣の金種が収納元である収納部に割り当てられた変更後の設定金種と一致しない紙幣が異金種収納部（この例では一時保留部３０）に搬送されるように搬送部４０を制御する。
【０１１９】
以上のように、第１精査処理における第３異常対応動作を行うことにより、搬送元である収納部に収納されている紙幣の金種と搬送元である収納部に収納されるべき紙幣の金種（すなわち設定金種）とを一致させることができる。これにより、搬送元である収納部の収納異常を解消することができる。
【０１２０】
〈第２精査処理〉
次に、第２精査処理について説明する。第２精査処理では、制御部１００は、搬送元である収納部（この例では第１収納カセット６１）から繰り出された紙幣が精査収納部（この例では精査カセット６５）に搬送される一次搬送と、精査収納部から繰り出された紙幣が識別部５０において識別されて識別部５０における識別結果に応じて搬送元である収納部または異金種収納部（この例では一時保留部）に搬送される二次搬送とが行われるように搬送部４０を制御する。第２精査処理では、以下のような動作が行われる。
【０１２１】
まず、図４に示すように、第２精査処理の一次搬送では、第１収納カセット６１に繰り出された紙幣は、搬送部４０によって精査カセット６５に搬送される。
【０１２２】
次に、第２精査処理の一次搬送が完了すると、第２精査処理の二次搬送が行われる。第２精査処理の二次搬送では、精査カセット６５から繰り出された紙幣は、搬送部４０によって識別部５０に搬送されて識別部５０において識別される。識別部５０において取得された情報（すなわち識別部５０における紙幣の識別結果）は、制御部１００に送信される。なお、識別部５０において取得された情報には、識別部５０において識別された紙幣の金種に関する情報が含まれている。
【０１２３】
制御部１００は、第２精査処理の二次搬送において、識別部５０において取得された情報に基づいて、精査カセット６５から繰り出されて識別部５０において識別された紙幣が正常貨幣に該当するのか異金種貨幣に該当するのかを判定する。なお、この例では、正常貨幣は、識別部５０において識別された紙幣の金種が搬送元である収納部（この例では第１収納カセット６１）に割り当てられた設定金種と一致する紙幣であり、搬送元である収納部に戻すことが許可された紙幣である。
【０１２４】
識別部５０において識別された紙幣が正常貨幣に該当する場合、制御部１００は、図５の実線の矢印で示すように、識別部５０において識別された紙幣（すなわち正常貨幣）が第１収納カセット６１に搬送されるように搬送部４０を制御する。一方、識別部５０において識別された紙幣が異金種貨幣に該当する場合、制御部１００は、図５の破線の矢印で示すように、識別部５０において識別された紙幣（すなわち異金種貨幣）が一時保留部３０に搬送されるように搬送部４０を制御する。
【０１２５】
また、制御部１００は、第２精査処理の二次搬送において、異金種貨幣情報に基づいて収納異常情報を出力する。例えば、制御部１００は、第２精査処理の二次搬送において、異金種貨幣の枚数が収納異常閾値を上回る場合に、収納異常情報を出力する。
【０１２６】
以上のように、精査処理（第２精査処理）において異金種収納部を設けることにより、精査処理において処理される紙幣のうち異金種貨幣を異金種収納部に搬送することができる。また、精査処理において収納異常情報を出力することにより、精査処理において搬送元である収納部の収納異常を確認することができる。
【０１２７】
〈第２精査処理における異常対応動作〉
また、制御部１００は、第２精査処理において収納異常情報を出力する場合（すなわち搬送元である収納部において収納異常が発生している場合）に、第２精査処理を中断させた後に、次のような動作を行うように構成されていてもよい。
【０１２８】
《第２精査処理における第１異常対応動作（貨幣返送動作）》
例えば、制御部１００は、第２精査処理（第２精査処理の二次搬送）において収納異常情報を出力する場合に、第２精査処理のための動作を中断して第１異常対応動作を行うように構成されていてもよい。第２精査処理における第１異常対応動作では、制御部１００は、異金種収納部（この例では一時保留部３０）から繰り出された紙幣（異金種貨幣）および精査収納部（この例では精査カセット６５）から繰り出された紙幣が搬送元である収納部（この例では第１収納カセット６１）に戻るように搬送部４０を制御する。なお、第２精査処理における第１異常対応動作は、貨幣返送動作の一例に該当する。
【０１２９】
また、制御部１００は、第２精査処理における第１異常対応動作の完了後に、搬送元である収納部（この例では第１収納カセット６１）を貨幣処理装置１０から取り外すことを指示するための情報を出力するように構成されていてもよい。
【０１３０】
以上のように、第２精査処理における第１異常対応動作を行うことにより、異金種収納部に収納された紙幣および精査収納部に収納された紙幣を搬送元である収納部に戻すことができる。これにより、搬送元である収納部における紙幣の収納状態を初期状態（第２精査処理が開始される前の状態）に戻すことができる。
【０１３１】
《第２精査処理における第２異常対応動作（貨幣返送動作）》
また、制御部１００は、第２精査処理（第２精査処理の二次搬送）において収納異常情報を出力する場合に、第２精査処理のための動作を中断して第２異常対応動作を行うように構成されていてもよい。第２精査処理における第２異常対応動作では、制御部１００は、異金種収納部（この例では一時保留部３０）から繰り出された紙幣（異金種貨幣）が搬送元である収納部（この例では第１収納カセット６１）に戻るように搬送部４０を制御する。なお、第２精査処理における第２異常対応動作は、貨幣返送動作の一例に該当する。
【０１３２】
また、制御部１００は、第２精査処理における第２異常対応動作の完了後に、搬送元である収納部（この例では第１収納カセット６１）と精査収納部（この例では精査カセット６５）を貨幣処理装置１０から取り外すことを指示するための情報を出力するように構成されていてもよい。例えば、制御部１００は、搬送元である収納部と精査収納部を貨幣処理装置１０から取り外すことを指示する画像を表示部２０４に表示させるように構成されていてもよい。
【０１３３】
以上のように、第２精査処理における第２異常対応動作を行うことにより、異金種収納部に収納された異金種貨幣を搬送元である収納部に戻すことができる。
【０１３４】
なお、第２精査処理における第２異常対応動作は、異金種収納部を貨幣処理装置１０から取り外すことができない場合（例えば異金種収納部が貨幣処理装置１０に固定されている場合）や、異金種収納部から紙幣を抜き取ることができない場合（例えば異金種収納部が巻き取り式に構成されている場合）などに有効である。
【０１３５】
《第２精査処理における第３異常対応動作（貨幣払出動作）》
また、第２精査処理において、異金種貨幣を払い出すための払出部が予め設定されていてもよい。例えば、この例では、第２出金部２３が払出部に該当する。そして、制御部１００は、第２精査処理（第２精査処理の二次搬送）において収納異常情報を出力する場合に、第２精査処理のための動作を中断して第３異常対応動作を行うように構成されていてもよい。第２精査処理における第３異常対応動作では、制御部１００は、異金種収納部（この例では一時保留部３０）から繰り出された紙幣（異金種貨幣）および精査収納部（この例では精査カセット６５）から繰り出された紙幣が払出部（この例では第２出金部２３）に搬送されるように搬送部４０を制御する。なお、第２精査処理における第３異常対応動作は、貨幣払出動作の一例に該当する。
【０１３６】
また、制御部１００は、第２精査処理における第３異常対応動作の完了後に、搬送元である収納部（この例では第１収納カセット６１）を貨幣処理装置１０から取り外すことを指示するための情報を出力するように構成されていてもよい。
【０１３７】
以上のように、第２精査処理における第３異常対応動作を行うことにより、異金種収納部に収納された貨幣および精査収納部に収納された紙幣を払出部から貨幣処理装置１０外に払い出すことができる。
【０１３８】
《第２精査処理における第４異常対応動作（貨幣払出動作）》
また、第２精査処理において異金種貨幣を払い出すための払出部（この例では第２出金部２３）が予め設定されている場合、制御部１００は、第２精査処理（第２精査処理の二次搬送）において収納異常情報を出力する場合に、第２精査処理のための動作を中断して第４異常対応動作を行うように構成されていてもよい。第２精査処理における第４異常対応動作では、制御部１００は、異金種収納部（この例では一時保留部３０）から繰り出された紙幣（異金種貨幣）が払出部（この例では第２出金部２３）に搬送されるように搬送部４０を制御する。なお、第２精査処理における第４異常対応動作は、貨幣払出動作の一例に該当する。
【０１３９】
また、制御部１００は、第２精査処理における第４異常対応動作の完了後に、搬送元である収納部（この例では第１収納カセット６１）と精査収納部（この例では精査カセット６５）を貨幣処理装置１０から取り外すことを指示するための情報を出力するように構成されていてもよい。
【０１４０】
以上のように、第２精査処理における第４異常対応動作を行うことにより、異金種収納部に収納された貨幣を払出部から貨幣処理装置１０外に払い出すことができる。
【０１４１】
なお、第２精査処理における第４異常対応動作は、異金種収納部を貨幣処理装置１０から取り外すことができない場合（例えば異金種収納部が貨幣処理装置１０に固定されている場合）や、異金種収納部から紙幣を抜き取ることができない場合（例えば異金種収納部が巻き取り式に構成されている場合）などに有効である。
【０１４２】
《第２精査処理における第５異常対応動作（設定変更動作）》
また、制御部１００は、第２精査処理（第２精査処理の二次搬送）において収納異常情報を出力する場合に、第２精査処理のための動作を中断して第５異常対応動作を行うように構成されていてもよい。第２精査処理における第５異常対応動作では、制御部１００は、搬送元である収納部（この例では第１収納カセット６１）に割り当てられた設定金種を異金種貨幣の金種（複数の金種が存在する場合は最も多い金種）に変更する。なお、第２精査処理における第５異常対応動作は、設定変更動作の一例に該当する。
【０１４３】
また、制御部１００は、第２精査処理における第５異常対応動作の完了後に、搬送元である収納部に割り当てられた設定金種が変更されたことを通知するための情報を出力するように構成されていてもよい。
【０１４４】
また、制御部１００は、第２精査処理における第５異常対応動作の完了後に、第２精査処理の二次搬送のやり直しを行うように構成されていてもよい。この第２精査処理の二次搬送のやり直しでは、制御部１００は、異金種収納部（この例では一時保留部３０）から繰り出された紙幣および収納元の収納部（この例では第１収納カセット６１）から繰り出された紙幣が精査収納部（この例では精査カセット６５）に戻るように搬送部４０を制御した後に、第２精査処理の二次搬送が再開されるように搬送部４０を制御する。なお、再開された第２精査処理の二次搬送において、異金種貨幣は、識別部５０において識別された紙幣の金種が搬送元である収納部（この例では第１収納カセット６１）に割り当てられた変更後の設定金種と一致しない紙幣に該当する。正常貨幣は、識別部５０において識別された紙幣の金種が搬送元である収納部に割り当てられた変更後の設定金種と一致する紙幣であり、搬送元である収納部に戻すことが許可された紙幣に該当する。
【０１４５】
以上のように、第２精査処理における第５異常対応動作を行うことにより、搬送元である収納部に収納されている紙幣の金種と搬送元である収納部に収納されるべき紙幣の金種（すなわち設定金種）とを一致させることができる。これにより、搬送元である収納部の収納異常を解消することができる。
【０１４６】
〔出金処理〕
次に、図６を参照して、貨幣処理装置１０の出金処理について説明する。出金処理は、収納部に収納された紙幣を出金する処理のことである。
【０１４７】
出金処理では、搬送元となる収納部（すなわち出金処理の対象となる収納部）と、異金種貨幣を収納するための異金種収納部と、出金すべき紙幣を払い出すための出金部とが予め定められている。図６の例では、第１収納カセット６１が搬送元となる収納部に該当し、一時保留部３０が異金種収納部に該当し、第１出金部２２が出金部に該当する。
【０１４８】
〈出金処理における基本動作〉
制御部１００は、出金処理において、収納元である収納部（この例では第１収納カセット６１）から繰り出された紙幣が識別部５０において識別されて識別部５０における識別結果に応じて出金部（この例では第１出金部２２）に搬送されるように搬送部４０を制御する。また、制御部１００は、出金処理において、異金種貨幣が異金種収納部（この例では一時保留部３０）に搬送されるように搬送部４０を制御する。出金処理では、以下のような動作が行われる。
【０１４９】
図６に示すように、出金処理では、第１収納カセット６１から繰り出された紙幣は、搬送部４０によって識別部５０に搬送されて識別部５０において識別される。識別部５０において取得された情報（すなわち識別部５０における紙幣の識別結果）は、制御部１００に送信される。なお、識別部５０において取得された情報には、識別部５０における紙幣の金種に関する情報が含まれている。
【０１５０】
制御部１００は、識別部５０において取得された情報に基づいて、第１収納カセット６１から繰り出されて識別部５０において識別された紙幣が正常貨幣に該当するのか異金種貨幣に該当するのかを判定する。なお、この例では、正常貨幣は、識別部５０において識別された紙幣の金種が搬送元である収納部（この例では第１収納カセット６１）に割り当てられた設定金種と一致する紙幣であり、出金部（この例では第１出金部２２）に搬送することが許可された紙幣である。
【０１５１】
識別部５０において識別された紙幣が正常貨幣に該当する場合、制御部１００は、図６の実線の矢印で示すように、識別部５０において識別された紙幣（すなわち正常貨幣）が第１出金部２２に搬送されるように搬送部４０を制御する。一方、識別部５０において識別された紙幣が異金種貨幣に該当する場合、制御部１００は、図６の破線の矢印で示すように、識別部５０において識別された紙幣（すなわち異金種貨幣）が一時保留部３０に搬送されるように搬送部４０を制御する。
【０１５２】
また、制御部１００は、出金処理において、異金種貨幣情報に基づいて収納異常情報を出力する。例えば、制御部１００は、出金処理において、異金種貨幣の枚数が収納異常閾値を上回る場合に、収納異常情報を出力する。
【０１５３】
以上のように、出金処理において異金種収納部を設けることにより、出金処理において処理される紙幣のうち異金種貨幣を異金種収納部に搬送することができる。また、出金処理において収納異常情報を出力することにより、出金処理において搬送元である収納部の収納異常を確認することができる。
【０１５４】
〈出金処理における異常対応動作〉
また、制御部１００は、出金処理において収納異常情報を出力する場合（すなわち搬送元である収納部において収納異常が発生している場合）に、貨幣処理装置１０の出金処理を中断させた後に、次のような動作を行うように構成されていてもよい。
【０１５５】
《出金処理における第１異常対応動作（貨幣返送動作）》
例えば、制御部１００は、出金処理において収納異常情報を出力する場合に、出金処理のための動作を中断して第１異常対応動作を行うように構成されていてもよい。出金処理における第１異常対応動作では、制御部１００は、異金種収納部（この例では一時保留部３０）から繰り出された異金種貨幣が搬送元である収納部（この例では第１収納カセット６１）に戻るように搬送部４０を制御する。なお、出金処理における第１異常対応動作は、貨幣返送動作の一例に該当する。
【０１５６】
また、制御部１００は、出金処理における第１異常対応動作の完了後に、搬送元である収納部（この例では第１収納カセット６１）を貨幣処理装置１０から取り外すことを指示するための情報を出力するように構成されていてもよい。
【０１５７】
以上のように、出金処理における第１異常対応動作を行うことにより、異金種収納部に収納された紙幣を搬送元である収納部に戻すことができる。
【０１５８】
なお、出金処理における第１異常対応動作は、異金種収納部を貨幣処理装置１０から取り外すことができない場合（例えば異金種収納部が貨幣処理装置１０に固定されている場合）や、異金種収納部から紙幣を抜き取ることができない場合（例えば異金種収納部が巻き取り式に構成されている場合）などに有効である。
【０１５９】
また、制御部１００は、搬送元である収納部（この例では第１収納カセット６１）を貨幣処理装置１０から取り外すことを指示するための情報を出力する前に、出金処理において出金部（この例では第１出金部２２）から払い出された紙幣（すなわち正常貨幣）を入金部２１に投入することを指示するための情報を出力するように構成されていてもよい。例えば、制御部１００は、出金処理において出金部から払い出された紙幣を入金部２１に投入することを指示する画像を表示部２０４に表示させるように構成されていてもよい。そして、入金部２１に紙幣が投入されると、制御部１００は、入金部２１に投入された紙幣が識別部５０において識別されて識別部５０における識別結果に応じて搬送元である収納部（この例では第１収納カセット６１）に搬送されるように搬送部４０を制御する。
【０１６０】
また、出金部（この例では第１出金部２２）には、出金部から搬送部４０に紙幣を繰り出すための機構（例えば出金部から抜き取られずに取り忘れられた紙幣を内部に取り込むリトラクト機構など）が設けられていてもよい。この場合、制御部１００は、搬送元である収納部（この例では第１収納カセット６１）を貨幣処理装置１０から取り外すことを指示するための情報を出力する前に、出金部から繰り出された紙幣が搬送元である収納部に搬送されるように搬送部４０を制御するように構成されていてもよい。
【０１６１】
《出金処理における第２異常対応動作（貨幣払出動作）》
また、出金処理において、異金種貨幣を払い出すための払出部が予め定められていてもよい。例えば、この例では、第２出金部２３が払出部に該当する。そして、制御部１００は、出金処理において収納異常情報を出力する場合に、出金処理のための動作を中断して第２異常対応動作を行うように構成されていてもよい。出金処理における第２異常対応動作では、制御部１００は、異金種収納部（この例では一時保留部３０）から繰り出された異金種貨幣が払出部（この例では第２出金部２３）に搬送されるように搬送部４０を制御する。なお、出金処理における第２異常対応動作は、貨幣払出動作の一例に該当する。
【０１６２】
また、制御部１００は、出金処理における第２異常対応動作の完了後に、搬送元である収納部（この例では第１収納カセット６１）を貨幣処理装置１０から取り外すことを指示するための情報を出力するように構成されていてもよい。
【０１６３】
以上のように、出金処理における第２異常対応動作を行うことにより、異金種収納部に収納された紙幣を払出部から貨幣処理装置１０外に払い出すことができる。
【０１６４】
なお、出金処理における第２異常対応動作は、異金種収納部を貨幣処理装置１０から取り外すことができない場合（例えば異金種収納部が貨幣処理装置１０に固定されている場合）や、異金種収納部から紙幣を抜き取ることができない場合（例えば異金種収納部が巻き取り式に構成されている場合）などに有効である。
【０１６５】
《出金処理における第３異常対応動作（設定変更動作）》
また、制御部１００は、出金処理において収納異常情報を出力する場合に、出金処理のための動作を中断して第３異常対応動作を行うように構成されていてもよい。出金処理における第３異常対応動作では、制御部１００は、搬送元である収納部（この例では第１収納カセット６１）に割り当てられた設定金種を異金種貨幣の金種（複数の金種が存在する場合は最も多い金種）に変更する。なお、出金処理における第３異常対応動作は、設定変更動作の一例に該当する。
【０１６６】
また、制御部１００は、出金処理における第３異常対応動作の完了後に、搬送元である収納部に割り当てられた設定金種が変更されたことを通知するための情報を出力するように構成されていてもよい。
【０１６７】
また、制御部１００は、出金処理における第３異常対応動作の完了後に、出金処理のやり直しを行うように構成されていてもよい。出金処理のやり直しでは、制御部１００は、異金種収納部（この例では一時保留部３０）から繰り出された紙幣が搬送元の収納部（この例では第１収納カセット６１）に戻るように搬送部４０を制御した後に、出金処理が再開されるように搬送部４０を制御する。なお、再開された出金処理において、異金種貨幣は、識別部５０において識別された紙幣の金種が搬送元である収納部（この例では第１収納カセット６１）に割り当てられた変更後の設定金種と一致しない紙幣に該当する。正常貨幣は、識別部５０において識別された紙幣の金種が搬送元である収納部に割り当てられた変更後の設定金種と一致する紙幣であり、出金部（この例では第１出金部２２）に搬送することが許可された紙幣に該当する。
【０１６８】
以上のように、出金処理における第３異常対応動作を行うことにより、搬送元である収納部に収納されている紙幣の金種と搬送元である収納部に収納されるべき紙幣の金種（すなわち設定金種）とを一致させることができる。これにより、搬送元である収納部の収納異常を解消することができる。
【０１６９】
〔回収処理〕
次に、図７を参照して、貨幣処理装置１０の回収処理について説明する。回収処理は、収納部に収納された紙幣を回収する処理のことである。
【０１７０】
回収処理では、搬送元となる収納部（すなわち回収処理の対象となる収納部）と、異金種貨幣を収納するための異金種収納部と、回収すべき紙幣を収納する回収収納部とが予め定められている。図７の例では、第１収納カセット６１が搬送元となる収納部に該当し、一時保留部３０が異金種収納部に該当し、回収カセット７０が回収収納部に該当する。
【０１７１】
〈回収処理における基本動作〉
制御部１００は、回収処理において、搬送元である収納部（この例では第１収納カセット６１）から繰り出された紙幣が識別部５０において識別されて識別部５０における識別結果に応じて回収収納部（この例では回収カセット７０）に搬送されるように搬送部４０を制御する。また、制御部１００は、回収処理において、異金種貨幣が異金種収納部（この例では一時保留部３０）に搬送されるように搬送部４０を制御する。回収処理では、以下のような動作が行われる。
【０１７２】
図７に示すように、回収処理では、第１収納カセット６１から繰り出された紙幣は、搬送部４０によって識別部５０に搬送されて識別部５０において識別される。識別部５０において取得された情報（すなわち識別部５０における紙幣の識別結果）は、制御部１００に送信される。なお、識別部５０において取得された情報には、識別部５０における紙幣の金種に関する情報が含まれている。
【０１７３】
制御部１００は、識別部５０において取得された情報に基づいて、第１収納カセット６１から繰り出されて識別部５０において識別された紙幣が正常貨幣に該当するのか異金種貨幣に該当するのかを判定する。なお、この例では、正常貨幣は、識別部５０において識別された紙幣の金種が搬送元である収納部（この例では第１収納カセット６１）に割り当てられた設定金種と一致する紙幣であり、回収収納部（この例では回収カセット７０）に搬送することが許可された紙幣である。
【０１７４】
識別部５０において識別された紙幣が正常貨幣に該当する場合、制御部１００は、図７の実線の矢印で示すように、識別部５０において識別された紙幣（すなわち正常貨幣）が回収カセット７０に搬送されるように搬送部４０を制御する。一方、識別部５０において識別された紙幣が異金種貨幣に該当する場合、制御部１００は、図７の破線の矢印で示すように、識別部５０において識別された紙幣（すなわち異金種貨幣）が一時保留部３０に搬送されるように搬送部４０を制御する。
【０１７５】
また、制御部１００は、回収処理において、異金種貨幣情報に基づいて収納異常情報を出力する。例えば、制御部１００は、回収処理において、異金種貨幣の枚数が収納異常閾値を上回る場合に、収納異常情報を出力する。
【０１７６】
以上のように、回収処理において異金種収納部を設けることにより、回収処理において処理される紙幣のうち異金種貨幣を異金種収納部に搬送することができる。また、回収処理において収納異常情報を出力することにより、回収処理において搬送元である収納部の収納異常を確認することができる。
【０１７７】
〈回収処理における異常対応動作〉
また、制御部１００は、回収処理において収納異常情報を出力する場合（すなわち搬送元である収納部において収納異常が発生している場合）に、貨幣処理装置１０の回収処理を中断させた後に、次のような動作を行うように構成されていてもよい。
【０１７８】
《回収処理における第１異常対応動作（貨幣返送動作）》
例えば、制御部１００は、回収処理において収納異常情報を出力する場合に、回収処理のための動作を中断して第１異常対応動作を行うように構成されていてもよい。回収処理における第１異常対応動作では、制御部１００は、異金種収納部（この例では一時保留部３０）から繰り出された異金種貨幣が搬送元である収納部（この例では第１収納カセット６１）に戻るように搬送部４０を制御する。なお、回収処理における第１異常対応動作は、貨幣返送動作の一例に該当する。
【０１７９】
また、制御部１００は、回収処理における第１異常対応動作の完了後に、搬送元である収納部（この例では第１収納カセット６１）と回収収納部（この例では回収カセット７０）を貨幣処理装置１０から取り外すことを指示するための情報を出力するように構成されていてもよい。例えば、制御部１００は、搬送元である収納部と回収収納部を貨幣処理装置１０から取り外すことを指示する画像を表示部２０４に表示させるように構成されていてもよい。
【０１８０】
以上のように、回収処理における第１異常対応動作を行うことにより、異金種収納部に収納された紙幣を搬送元である収納部に戻すことができる。
【０１８１】
なお、回収処理における第１異常対応動作は、異金種収納部を貨幣処理装置１０から取り外すことができない場合（例えば異金種収納部が貨幣処理装置１０に固定されている場合）や、異金種収納部から紙幣を抜き取ることができない場合（例えば異金種収納部が巻き取り式に構成されている場合）などに有効である。
【０１８２】
《回収処理における第２異常対応動作（貨幣払出動作）》
また、回収処理において、異金種貨幣を払い出すための払出部が予め定められていてもよい。例えば、この例では、第２出金部２３が払出部に該当する。そして、制御部１００は、回収処理において収納異常情報を出力する場合に、回収処理のための動作を中断して第２異常対応動作を行うように構成されていてもよい。回収処理における第２異常対応動作では、制御部１００は、異金種収納部（この例では一時保留部３０）から繰り出された異金種貨幣が払出部（この例では第２出金部２３）に搬送されるように搬送部４０を制御する。なお、回収処理における第２異常対応動作は、貨幣払出動作の一例に該当する。
【０１８３】
また、制御部１００は、回収処理における第２異常対応動作の完了後に、搬送元である収納部（この例では第１収納カセット６１）と回収収納部（この例では回収カセット７０）を貨幣処理装置１０から取り外すことを指示するための情報を出力するように構成されていてもよい。
【０１８４】
以上のように、回収処理における第２異常対応動作を行うことにより、異金種収納部に収納された紙幣を払出部から貨幣処理装置１０外に払い出すことができる。
【０１８５】
なお、回収処理における第２異常対応動作は、異金種収納部を貨幣処理装置１０から取り外すことができない場合（例えば異金種収納部が貨幣処理装置１０に固定されている場合）や、異金種収納部から紙幣を抜き取ることができない場合（例えば異金種収納部が巻き取り式に構成されている場合）などに有効である。
【０１８６】
《回収処理における第３異常対応動作（設定変更動作）》
また、制御部１００は、回収処理において収納異常情報を出力する場合に、回収処理のための動作を中断して第３異常対応動作を行うように構成されていてもよい。回収処理における第３異常対応動作では、制御部１００は、搬送元である収納部（この例では第１収納カセット６１）に割り当てられた設定金種を異金種貨幣の金種（複数の金種が存在する場合は最も多い金種）に変更する。なお、回収処理における第３異常対応動作は、設定変更動作の一例に該当する。
【０１８７】
また、制御部１００は、回収処理における第３異常対応動作の完了後に、搬送元である収納部に割り当てられた設定金種が変更されたことを通知するための情報を出力するように構成されていてもよい。
【０１８８】
また、制御部１００は、回収処理における第３異常対応動作の完了後に、回収処理のやり直しを行うように構成されていてもよい。回収処理のやり直しでは、制御部１００は、異金種収納部（この例では一時保留部３０）から繰り出された紙幣が搬送元の収納部（この例では第１収納カセット６１）に戻るように搬送部４０を制御した後に、回収処理が再開されるように搬送部４０を制御する。なお、再開された回収処理において、異金種貨幣は、識別部５０において識別された紙幣の金種が搬送元である収納部（この例では第１収納カセット６１）に割り当てられた変更後の設定金種と一致しない紙幣に該当する。正常貨幣は、識別部５０において識別された紙幣の金種が搬送元である収納部に割り当てられた変更後の設定金種と一致する紙幣であり、回収収納部（この例では回収カセット７０）に搬送することが許可された紙幣に該当する。
【０１８９】
以上のように、回収処理における第３異常対応動作を行うことにより、搬送元である収納部に収納されている紙幣の金種と搬送元である収納部に収納されるべき紙幣の金種（すなわち設定金種）とを一致させることができる。これにより、搬送元である収納部の収納異常を解消することができる。
【０１９０】
〔装填処理〕
次に、図８を参照して、貨幣処理装置１０の装填処理について説明する。装填処理は、収納部に収納された紙幣（具体的には単一金種の紙幣）を別の収納部に装填する装填処理のことである。
【０１９１】
装填処理では、搬送元となる収納部（すなわち装填用の紙幣を収納する収納部）と、異金種貨幣を収納するための異金種収納部と、紙幣が装填される装填収納部とが予め定められている。図８の例では、精査カセット６５が搬送元となる収納部に該当し、一時保留部３０が異金種収納部に該当し、第１収納カセット６１が装填収納部に該当する。また、精査カセット６５は、単一金種の紙幣を収納するものであり、精査カセット６５には、精査カセット６５に収納されるべき紙幣の金種（設定金種）が割り当てられている。
【０１９２】
〈装填処理における基本動作〉
制御部１００は、装填処理において、搬送元である収納部（この例では精査カセット６５）から繰り出された紙幣が識別部５０において識別されて識別部５０における識別結果に応じて装填収納部（この例では第１収納カセット６１）に搬送されるように搬送部４０を制御する。また、制御部１００は、装填処理において、異金種貨幣が異金種収納部（この例では一時保留部３０）に搬送されるように搬送部４０を制御する。装填処理では、以下のような動作が行われる。
【０１９３】
図８に示すように、装填処理では、精査カセット６５から繰り出された紙幣は、搬送部４０によって識別部５０に搬送されて識別部５０において識別される。識別部５０において取得された情報（すなわち識別部５０における紙幣の識別結果）は、制御部１００に送信される。なお、識別部５０において取得された情報には、識別部５０における紙幣の金種に関する情報が含まれている。
【０１９４】
制御部１００は、識別部５０において取得された情報に基づいて、精査カセット６５から繰り出されて識別部５０において識別された紙幣が正常貨幣に該当するのか異金種貨幣に該当するのかを判定する。なお、この例では、正常貨幣は、識別部５０において識別された紙幣の金種が搬送元である収納部（この例では精査カセット６５）に割り当てられた設定金種と一致する紙幣であり、装填収納部（この例では第１収納カセット６１）に搬送することが許可された紙幣である。
【０１９５】
識別部５０において識別された紙幣が正常貨幣に該当する場合、制御部１００は、図８の実線の矢印で示すように、識別部５０において識別された紙幣（すなわち正常貨幣）が第１収納カセット６１に搬送されるように搬送部４０を制御する。一方、識別部５０において識別された紙幣が異金種貨幣に該当する場合、制御部１００は、図８の破線の矢印で示すように、識別部５０において識別された紙幣（すなわち異金種貨幣）が一時保留部３０に搬送されるように搬送部４０を制御する。
【０１９６】
また、制御部１００は、装填処理において、異金種貨幣情報に基づいて収納異常情報を出力する。例えば、制御部１００は、装填処理において、異金種貨幣の枚数が収納異常閾値を上回る場合に、収納異常情報を出力する。
【０１９７】
以上のように、装填処理において異金種収納部を設けることにより、装填処理において処理される紙幣のうち異金種貨幣を異金種収納部に搬送することができる。また、装填処理において収納異常情報を出力することにより、装填処理において搬送元である収納部の収納異常を確認することができる。
【０１９８】
〈装填処理における異常対応動作〉
また、制御部１００は、装填処理において収納異常情報を出力する場合（すなわち搬送元である収納部において収納異常が発生している場合）に、装填処理を中断させた後に、次のような動作を行うように構成されていてもよい。
【０１９９】
《装填処理における第１異常対応動作（貨幣返送動作）》
例えば、制御部１００は、装填処理において収納異常情報を出力する場合に、装填処理のための動作を中断して第１異常対応動作を行うように構成されていてもよい。装填処理における第１異常対応動作では、制御部１００は、異金種収納部（この例では一時保留部３０）から繰り出された紙幣（異金種貨幣）が搬送元である収納部（この例では精査カセット６５）に戻り、且つ、装填収納部（この例では第１収納カセット６１）に収納された紙幣のうち装填処理において新たに収納された紙幣が装填収納部から繰り出されて収納元である収納部に戻るように搬送部４０を制御する。なお、装填処理における第１異常対応動作は、貨幣返送動作の一例に該当する。
【０２００】
また、制御部１００は、装填処理における第１異常対応動作の完了後に、搬送元である収納部（この例では精査カセット６５）を貨幣処理装置１０から取り外すことを指示するための情報を出力するように構成されていてもよい。
【０２０１】
以上のように、装填処理における第１異常対応動作を行うことにより、異金種収納部に収納された紙幣および装填処理において装填収納部に新たに収納された紙幣を搬送元である収納部に戻すことができる。これにより、搬送元である収納部における紙幣の収納状態を初期状態（装填処理が開始される前の状態）に戻すことができる。
【０２０２】
《装填処理における第２異常対応動作（貨幣返送動作）》
また、制御部１００は、装填処理において収納異常情報を出力する場合に、装填処理のための動作を中断して第２異常対応動作を行うように構成されていてもよい。装填処理における第２異常対応動作では、制御部１００は、異金種収納部（この例では一時保留部３０）から繰り出された紙幣（異金種貨幣）が搬送元である収納部（この例では精査カセット６５）に戻るように搬送部４０を制御する。なお、装填処理における第２異常対応動作は、貨幣返送動作の一例に該当する。
【０２０３】
また、装填処理の開始前において装填収納部（この例では第１収納カセット６１）に紙幣が収納されていない場合、制御部１００は、装填処理における第２異常対応動作の完了後に、搬送元である収納部（この例では精査カセット６５）と装填収納部（この例では第１収納カセット６１）を貨幣処理装置１０から取り外すことを指示するための情報を出力するように構成されていてもよい。例えば、制御部１００は、搬送元である収納部と装填収納部を貨幣処理装置１０から取り外すことを指示する画像を表示部２０４に表示させるように構成されていてもよい。
【０２０４】
以上のように、装填処理における第２異常対応動作を行うことにより、異金種収納部に収納された紙幣を搬送元である収納部に戻すことができる。
【０２０５】
なお、装填処理における第２異常対応動作は、異金種収納部を貨幣処理装置１０から取り外すことができない場合（例えば異金種収納部が貨幣処理装置１０に固定されている場合）や、異金種収納部から紙幣を抜き取ることができない場合（例えば異金種収納部が巻き取り式に構成されている場合）などに有効である。
【０２０６】
《装填処理における第３異常対応動作（貨幣払出動作）》
また、装填処理において、異金種貨幣を払い出すための払出部が予め設定されていてもよい。例えば、この例では、第２出金部２３が払出部に該当する。そして、制御部１００は、装填処理において収納異常情報を出力する場合に、装填処理のための動作を中断して第３異常対応動作を行うように構成されていてもよい。装填処理における第３異常対応動作では、制御部１００は、異金種収納部（この例では一時保留部３０）から繰り出された紙幣（異金種貨幣）が払出部（この例では第２出金部２３）に搬送され、且つ、装填収納部（この例では第１収納カセット６１）に収納された紙幣のうち装填処理において新たに収納された紙幣が装填収納部から繰り出されて払出部に搬送されるように搬送部４０を制御する。なお、装填処理における第３異常対応動作は、貨幣払出動作の一例に該当する。
【０２０７】
また、制御部１００は、装填処理における第３異常対応動作の完了後に、搬送元である収納部（この例では精査カセット６５）を貨幣処理装置１０から取り外すことを指示するための情報を出力するように構成されていてもよい。
【０２０８】
以上のように、装填処理における第３異常対応動作を行うことにより、異金種収納部に収納された貨幣および装填処理において装填収納部に新たに収納された紙幣を払出部から貨幣処理装置１０外に払い出すことができる。
【０２０９】
《装填処理における第４異常対応動作（貨幣払出動作）》
また、装填処理において異金種貨幣を払い出すための払出部（この例では第２出金部２３）が予め設定されている場合、制御部１００は、装填処理において収納異常情報を出力する場合に、装填処理のための動作を中断して第４異常対応動作を行うように構成されていてもよい。装填処理における第４異常対応動作では、制御部１００は、異金種収納部（この例では一時保留部３０）から繰り出された紙幣（異金種貨幣）が払出部（この例では第２出金部２３）に搬送されるように搬送部４０を制御する。なお、装填処理における第４異常対応動作は、貨幣払出動作の一例に該当する。
【０２１０】
また、装填処理の開始前において装填収納部（この例では第１収納カセット６１）に紙幣が収納されていない場合、制御部１００は、装填処理における第４異常対応動作の完了後に、搬送元である収納部（この例では精査カセット６５）と装填収納部（この例では第１収納カセット６１）を貨幣処理装置１０から取り外すことを指示するための情報を出力するように構成されていてもよい。
【０２１１】
以上のように、装填処理における第４異常対応動作を行うことにより、異金種収納部に収納された紙幣を払出部から貨幣処理装置１０外に払い出すことができる。
【０２１２】
なお、装填処理における第４異常対応動作は、異金種収納部を貨幣処理装置１０から取り外すことができない場合（例えば異金種収納部が貨幣処理装置１０に固定されている場合）や、異金種収納部から紙幣を抜き取ることができない場合（例えば異金種収納部が巻き取り式に構成されている場合）などに有効である。
【０２１３】
（その他の実施形態）
なお、貨幣処理装置１０の精査処理（第１精査処理および第２精査処理）において、異金種収納部（例えば一時保留部３０）には、異金種貨幣の他に、リジェクト対象となる紙幣（リジェクト貨幣）が収納されてもよい。リジェクト対象となる紙幣の例としては、識別部５０において識別することができない紙幣（識別不能貨幣）や偽物の紙幣（偽貨）などが挙げられる。すなわち、精査処理において、制御部１００は、リジェクト対象となる紙幣（リジェクト貨幣）が異金種収納部に搬送されるように搬送部４０を制御するように構成されていてもよい。この場合、制御部１００は、精査処理における貨幣返送動作（具体的には第２精査処理における第１および第２異常対応動作）において、異金種収納部から繰り出された紙幣（異金種貨幣とリジェクト貨幣の両方）が搬送元である収納部に戻るように搬送部４０を制御してもよい。また、制御部１００は、精査処理における貨幣払出処理（具体的には第２精査処理における第３および第４異常対応動作）において、異金種収納部から繰り出された紙幣（異金種貨幣とリジェクト貨幣の両方）が払出部に搬送されるように搬送部４０を制御してもよい。また、制御部１００は、精査処理における設定変更動作（具体的には第１精査処理における第３異常対応動作と第２精査処理における第５異常対応動作）において、異金種収納部に収納された紙幣のうちリジェクト貨幣が異金種収納部から繰り出されて予め定められたリジェクト収納部（例えば回収カセット７０）に搬送されるように搬送部４０を制御してもよい。
【０２１４】
また、以上の説明において、制御部１００は、単一の回路チップ（例えばＣＰＵやメモリを備えた集積回路）によって構成されていてもよいし、互いに通信を行う複数の回路チップによって構成されていてもよい。また、制御部１００を構成する部品は、処理部側筐体１１ａ内に設けられていてもよいし、処理部側筐体１１ａ外（例えば防護筐体１２ａ）に設けられていてもよいし、処理部側筐体１１ａ内と処理部側筐体１１ａ外とに分散して設けられていてもよい。
【０２１５】
また、以上の説明において、制御部１００は、貨幣処理装置１０のオペレータの指示に応答して異常対応動作を行うか否かを決定するように構成されていてもよい。また、制御部１００は、貨幣処理装置１０のオペレータの指示に応答して複数の異常対応動作の中から１つの異常対応動作を選択して行うように構成されていてもよい。
【０２１６】
また、貨幣処理装置１０の各種処理において、収納異常情報の出力タイミングは、例えば、異金種貨幣の枚数が収納異常閾値を上回るタイミングと同時であってもよいし、異金種貨幣の枚数が収納異常閾値を上回るタイミングよりも後であってもよい。また、異常対応動作の開始タイミングは、収納異常情報の出力タイミングと同時であってもよいし、収納異常情報の出力タイミングとは異なるタイミングであってもよい。
【０２１７】
また、ここに開示する技術は、紙幣を処理する紙幣処理装置（貨幣処理装置の一例）だけでなく、硬貨を処理する硬貨処理装置（貨幣処理装置の一例）にも適用可能である。
【０２１８】
また、以上の実施形態を適宜組み合わせて実施してもよい。以上の実施形態は、本質的に好ましい例示であって、この発明、その適用物、あるいはその用途の範囲を制限することを意図するものではない。
【産業上の利用可能性】
【０２１９】
以上説明したように、ここに開示する技術は、貨幣処理装置として有用である。
【符号の説明】
【０２２０】
１０        貨幣処理装置
１１        処理部
１２        金庫部
１３        第１金庫部
１４        第２金庫部
２１        入金部
２２        第１出金部
２３        第２出金部
３０        一時保留部
４０        搬送部
５０        識別部
６１        第１収納カセット
６２        第２収納カセット
６３        第３収納カセット
６４        第４収納カセット
６５        精査カセット
７０        回収カセット
【図１】
2019036004.tif 000003
【図２】
2019036004.tif 000004
【図３】
2019036004.tif 000005
【図４】
2019036004.tif 000006
【図５】
2019036004.tif 000007
【図６】
2019036004.tif 000008
【図７】
2019036004.tif 000009
【図８】
2019036004.tif 000010